(57)【要約】【課題】特定の空間に対して加熱乾燥空気や除湿冷却空気を供給することで、他室に比べて高温もしくは低温となる空間を提供する。【解決手段】第一熱交換器５と第二熱交換器６と第三熱交換器７との間で冷媒を循環する冷凍サイクルを備える換気装置１であり、第一熱交換器５は屋外２から室内３ｂへ供給される空気と冷媒との間で熱交換し、第二熱交換器６は室内３ｂから屋外２へ排出される空気と冷媒との間で熱交換し、第三熱交換器７は室内３ｂで循環する空気と冷媒との間で熱交換することを特徴としたものである。これによって、特定の空間を他室に比べて高温もしくは低温となる空間を提供する。【選択図】図１
2007271192.tif 000002
【特許請求の範囲】
【請求項１】
第一熱交換器と第二熱交換器と第三熱交換器との間で冷媒を循環する冷凍サイクルを備える換気装置であり、第一熱交換器は屋外から室内へ供給する空気と冷媒との間で熱交換し、第二熱交換器は室内から屋外へ排出する空気と冷媒との間で熱交換し、第三熱交換器は室内で循環する空気と冷媒との間で熱交換することを特徴とする換気装置。
【請求項２】
第二熱交換器が蒸発器となって第三熱交換器が凝縮器となるように構成されていることを特徴とする請求項１記載の換気装置。
【請求項３】
第一熱交換器が凝縮器となるように構成されていることを特徴とする請求項２記載の換気装置。
【請求項４】
第一熱交換器が蒸発器となって第三熱交換器が凝縮器となるように構成されていることを特徴とする請求項１記載の換気装置。
【請求項５】
第二熱交換器が蒸発器となるように構成されていることを特徴とする請求項４記載の換気装置。
【請求項６】
第二熱交換器が凝縮器となって第三熱交換器が蒸発器となるように構成されていることを特徴とする請求項１記載の換気装置。
【請求項７】
前記第一熱交換器が蒸発器となるように構成されていることを特徴とする請求項６記載の換気装置。
【請求項８】
前記第一熱交換器が凝縮器となって前記第三熱交換器が蒸発器となるように構成されていることを特徴とする請求項１記載の換気装置。
【請求項９】
前記第二熱交換器が凝縮器となるように構成されていることを特徴とする請求項８記載の換気装置。
【請求項１０】
第三熱交換器で熱交換した空気を供給する室内と、第二熱交換器で熱交換した空気を循環する室内が、同じ部屋であることを特徴とする請求項２〜３または請求項５〜７または請求項９記載のいずれか一項記載の換気装置。
【発明の詳細な説明】
【技術分野】
【０００１】
本発明は、特定の空間に対して加熱乾燥および冷却除湿ができるようにした換気装置に関するものである。
【背景技術】
【０００２】
従来、この種の換気装置は、室内から屋外へ排出する空気から熱回収をおこない、屋外から室内へ供給する空気の予熱をおこなうものが知られている（例えば、特許文献１参照）。
【０００３】
以下、上記特許文献１に記載された換気装置について図７を参照しながら説明する。図７に示すように、一次気流と二次気流が層間を交互に通るように構成された積層型の熱交換器１０１が室内外を連通する給気通風路１０２と排気通風路１０３に組み込まれている。給気通風路１０２と排気通風路１０３には給気と排気を行なう給気送風機１０４と排気送風機１０５がそれぞれ組み込まれ、給気送風機１０４と排気送風機１０５を同時に動作させることで、熱交換換気を行なうことができる。
【特許文献１】特公昭６３−２６８２２号公報
【発明の開示】
【発明が解決しようとする課題】
【０００４】
このような従来の構成では屋外から室内へ供給する空気の予熱をするといった機能しか利用者に与えられず、更なる満足・魅力が少なく利用範囲が限られるものであった。近年、生活レベルの向上に伴い、換気装置においても、快適性の向上につながる種々の機能が要求されている現状がある。
【０００５】
本発明は、このような従来の課題を解決するもので、特定の空間に対して加熱乾燥空気や除湿冷却空気を供給することで、他室に比べて高温もしくは低温となる空間を提供することを目的とする。
【課題を解決するための手段】
【０００６】
前記従来の課題を解決するために、本発明の換気装置は、第一熱交換器と第二熱交換器と第三熱交換器との間で冷媒を循環する冷凍サイクルを備える換気装置であり、第一熱交換器は屋外から室内へ供給される空気と冷媒との間で熱交換し、第二熱交換器は室内から屋外へ排出される空気と冷媒との間で熱交換し、第三熱交換器は室内で循環する空気と冷媒との間で熱交換することを特徴としたものである。
【０００７】
これにより第二熱交換器から第三熱交換器に対して熱移動をすることが可能となり、第三熱交換器が設けられた空間は、他室に比べて高温もしくは低温とすることができる。
【発明の効果】
【０００８】
本発明によれば特定の空間を他室に比べて高温もしくは低温となる空間を提供でき、衣類の乾燥や食物の保存、もしくは小空間の暖冷房といったように他室とは温度条件の異なる環境を形成できる換気装置を提供することができる。
【発明を実施するための最良の形態】
【０００９】
本発明の請求項１記載の発明は、第一熱交換器と第二熱交換器と第三熱交換器との間で冷媒を循環する冷凍サイクルを備える換気装置であり、第一熱交換器は屋外から室内へ供給される空気と冷媒との間で熱交換し、第二熱交換器は室内から屋外へ排出される空気と冷媒との間で熱交換し、第三熱交換器は室内で循環する空気と冷媒との間で熱交換するもので、各熱交換器に装備されている送風ファンと、冷凍サイクル内に装備されているふたつの四方弁を制御することで、必要に応じた運転形態を容易に確保することができる。
【００１０】
また、請求項２記載の発明は、第二熱交換器が蒸発器となって第三熱交換器が凝縮器となるように構成されていることを特徴とするものであり、室内から屋外へ排出される空気の熱を冷凍サイクルで汲み上げることで、冬期室内を効率的に加熱乾燥することができる。
【００１１】
また、請求項３記載の発明は、第一熱交換器が凝縮器となるように構成されていることを特徴とするものであり、屋外から室内へ供給される空気を加熱することができる。
【００１２】
また、請求項４記載の発明は、第一熱交換器が蒸発器となって第三熱交換器が凝縮器となるように構成されていることを特徴とするものであり、屋外から室内へ供給される空気の熱を冷凍サイクルで汲み上げることで、夏期室内を効率的に加熱乾燥することができる。
【００１３】
また、請求項５記載の発明は、第二熱交換器が蒸発器となるように構成されていることを特徴とするものであり、室内から屋外へ排出される空気の熱を冷凍サイクルで汲み上げることで、更に室内を効率的に加熱乾燥することができる。
【００１４】
また、請求項６記載の発明は、第二熱交換器が凝縮器となって第三熱交換器が蒸発器となるように構成されていることを特徴とするものであり、室内から屋外へ排出される空気の冷熱を冷凍サイクルで汲み上げることで、夏期室内を効率的に冷却除湿することができる。
【００１５】
また、請求項７記載の発明は、第一熱交換器が蒸発器となるように構成されていることを特徴とするものであり、屋外から室内へ供給される空気を冷却除湿することができる。
【００１６】
また、請求項８記載の発明は、第一熱交換器が凝縮器となって第三熱交換器が蒸発器となるように構成されていることを特徴とするものであり、屋外から室内へ供給される空気の冷熱を冷凍サイクルで汲み上げることで、冬期室内を効率的に冷却除湿することができる。
【００１７】
また、請求項９記載の発明は、第二熱交換器が凝縮器となるように構成されていることを特徴とするものであり、更に室内から屋外へ排出される空気の冷熱を冷凍サイクルで汲み上げることで、更に室内を効率的に冷却除湿することができる。
【００１８】
以下、本発明の実施の形態１について、図面を参照しながら説明する。なお、この実施の形態によって本発明が限定されるものではない。
【００１９】
（実施の形態１）
図１は、本発明の実施の形態における換気装置の風路構成図である。図１において、換気装置１に、屋外２から室内３ａへ空気を供給する給気ファン１０４と、室内３ｂから屋外２へ空気を排出する排気ファン１０５と、室内３ｂの空気を循環する循環ファン４と、第一熱交換器５と第二熱交換器６と第三熱交換器７とを備えている。給気ファン１０４と第一熱交換器５は給気通風路１０２に通風方向に対して直列に配置されており、排気ファン１０４と第二熱交換器６は排気通風路１０３に通風方向に対して直列に配置されており、循環ファン４と第三熱交換器７は循環風路内８に通風方向に対して直列に配置されている。
【００２０】
以上のように構成された換気装置について、以下その動作、作用を説明する。
【００２１】
まず、換気装置１に備えられた給気ファン１０４により屋外２の空気をとりこみ、その屋外２の空気を第一熱交換器５に通すことにより冷媒と熱交換される。その結果として、室内３ａに対して予熱もしくは予冷された屋外空気の導入がおこなえる。また場合によっては、給気ファン１０４の送風運転を停止することにより、室内３ａに対して導入する屋外空気の予熱もしくは予冷を停止することができる。
【００２２】
また、換気装置１に備えられた排気ファン１０５により室内３ｂの空気をとりこみ、その室内３ｂの空気を第二熱交換器６に通すことにより冷媒と熱交換される。その結果として、屋外２へ排出する室内３ｂの空気から熱回収がおこなえる。また場合によっては、排気ファン１０５の送風運転を停止することにより、室内３ｂの空気から熱回収を停止することができる。
【００２３】
また、換気装置１に備えられた循環ファン４により室内３ｂの空気をとりこみ、その室内３ｂの空気を第三熱交換器７に通すことにより冷媒と熱交換される。その結果として、室内３ｂに対して暖房もしくは冷房が可能となる。また場合によっては、循環ファン４の送風運転を停止することにより、室内３ｂに対する暖房もしくは冷房を停止することができる。
【００２４】
図２は、本発明の実施の形態１における換気装置の冷媒回路図である。図２において、換気装置１に、第一熱交換器５と、第二熱交換器６と、第三熱交換器７と、第一の四方切替弁９と、第二の四方切替弁１０と、圧縮機１１と、膨張弁１２を備えている。冷媒配管の接続構成としては、直列に配管接続された第一熱交換器５と膨張弁１２の両端管が、第二熱交換器６の冷媒ガス側管と第三熱交換器７の冷媒ガス側管に対し、冷媒回路が交互に接続の切り替えができるように第一の四方切替弁９が配管接続されている。また、圧縮機１１の冷媒吸入管と圧縮機１１の冷媒吐出管が、第二熱交換器６の冷媒液側管と第三熱交換器７の冷媒液側管に対し、冷媒回路が交互に接続の切り替えができるように第二の四方切替弁１０が配管接続されている。
【００２５】
以上のように構成された換気装置の冷凍サイクルについて、以下その動作、作用を説明する。
【００２６】
図３〜図６は本発明の実施の形態１における換気装置の冷媒回路動作図である。図において、冷凍サイクルに関する４種の異なる動作を示している。これらの動作は第一の四方切替弁９の切り替えと第二の四方切替弁１０の切り替えとの組合せにより可能となる。
【００２７】
図３における冷媒の流れとしては、圧縮機１１、第二の四方切替弁１０、第二熱交換器６、第一の四方切替弁９、第一熱交換器５、膨張弁１２、第一の四方切替弁９、第三熱交換器７、第二の四方切替弁１０、圧縮機１１という経路であり、第一熱交換器５と第二熱交換器６が凝縮器となり、第三熱交換器７が蒸発器となっている。
【００２８】
また、図４における冷媒の流れとしては、圧縮機１１、第二の四方切替弁１０、第三熱交換器７、第一の四方切替弁９、膨張弁１２、第一熱交換器５、第一の四方切替弁９、第二熱交換器６、第二の四方切替弁１０、圧縮機１１という経路であり、第一熱交換器５と第二熱交換器６が蒸発器となり、第三熱交換器７が凝縮器となっている。
【００２９】
また、図５における冷媒の流れとしては、圧縮機１１、第二の四方切替弁１０、第二熱交換器６、第一の四方切替弁９、膨張弁１２、第一熱交換器５、第一の四方切替弁９、第三熱交換器７、第二の四方切替弁１０、圧縮機１１という経路であり、第一熱交換器５と第三熱交換器７が蒸発器となり、第二熱交換器６が凝縮器となっている。
【００３０】
また、図６における冷媒の流れとしては、圧縮機１１、第二の四方切替弁１０、第三熱交換器７、第一の四方切替弁９、第一熱交換器５、膨張弁１２、第一の四方切替弁９、第二熱交換器６、第二の四方切替弁１０、圧縮機１１という経路であり、第一熱交換器５と第三熱交換器７が凝縮器となり、第二熱交換器６が蒸発器となっている。
【図面の簡単な説明】
【００３１】
【図１】本発明の実施の形態における換気装置の風路構成図
【図２】本発明の実施の形態における換気装置の冷媒回路図
【図３】本発明の実施の形態における換気装置の冷媒回路動作図（第三熱交換器７のみが蒸発器となる場合の図）
【図４】本発明の実施の形態における換気装置の冷媒回路動作図（第三熱交換器７のみが凝縮器となる場合の図）
【図５】本発明の実施の形態における換気装置の冷媒回路動作図（第二熱交換器６のみが凝縮器となる場合の図）
【図６】本発明の実施の形態における換気装置の冷媒回路動作図（第二熱交換器６のみが蒸発器となる場合の図）
【図７】従来の換気装置の構成図
【符号の説明】
【００３２】
１    換気装置
２    屋外
３ａ  室内
３ｂ  室内
５    第一熱交換器
６    第二熱交換器
７    第三熱交換器
【図１】
2007271192.tif 000003
【図２】
2007271192.tif 000004
【図３】
2007271192.tif 000005
【図４】
2007271192.tif 000006
【図５】
2007271192.tif 000007
【図６】
2007271192.tif 000008
【図７】
2007271192.tif 000009